(57)【要約】      （修正有）【課題】現在の携帯電話機の各種の機能の外に広告専用表示モニターを追加装設したものであり、且つ広告専用表示モニターを分類種目別に選択して表示できる広告表示モニター付携帯電話機を提供する。【解決手段】携帯電話本体１の操作用の電源スイッチ５で、１枚のモニターに携帯電話機能専用表示モニター３と広告機能専用広告画像表示モニター４とを同時に表示すると共に、一方の広告機能専用広告画像表示モニターには、他の分類項目の分類別一覧表示モニターを、広告時間や広告一覧表をクリックしたクリック回数等の履歴を記憶表示する。且つ携帯電話本体の裏面内部には、モニター区分ソフト機器、携帯電話機能専用機器、広告機能専用機器を装設してある。【選択図】図１
2010183550.tif 000002
【特許請求の範囲】
【請求項１】
携帯電話機器を収納している携帯電話本体（１）には、電話機能ボタン（２０）に操作用の電源スイッチ（５）を装設し、正面の１枚のモニター（２）には、中央部分に携帯電話機能専用表示モニター（３）に装設し、該携帯電話機能専用表示モニター（３）の上下外周部分に広告機能専用広告画像表示モニター（４）（４）を装設し、該１枚のモニター（２）には、裏面内部に該携帯電話機能専用表示モニター（３）と該広告機能専用広告画像表示モニター（４）（４）との２機能の画像表示を区別表示するモニター区分ソフト機器（６）、携帯電話機能専用機器（７）及び広告機能専用機器（８）を収納装設した事を特徴とする広告表示モニター付携帯電話機。
【請求項２】
請求項１の携帯電話本体（１）の内部には、該広告機能専用広告画像表示モニター（４）が中断しないように強制的に接続して広告表示ができるようにした強制的広告表示機能装置（９）を装設した請求項１の広告表示モニター付携帯電話機。
【請求項３】
請求項１の該広告機能専用広告画像表示モニター（４）（４）には、上部又は下部に広告表示が専門の広告専用表示モニター（４−１）を装設し、反対側上部又は下部に広告表示が専門的に変化表示する分類別一覧表示モニター（４−２）を装設した装置の請求項１の広告表示モニター付携帯電話機。
【請求項４】
請求項１における携帯電話本体（１）に、一般的広告表示時間、分類別操作による操作回数及び分類別広告表示時間等の履歴を記憶する記憶装置機器（１５）を内装し、該記憶装置機器（１５）には、外部の広告情報管理機器（１７）に該広告情報を送信する広告情報通信機器（１６）を内蔵し、該広告情報通信機器（１６）により広告情報履歴を蓄積する広告情報管理機器（１７）を有する請求項１の広告表示モニター付携帯電話機。
【請求項５】
請求項１における携帯電話本体（１）の内部には、一度に大量受信する情報圧縮受信機能機器（１８）と、受信した広告情報を再生する情報再生機能機器（１９）を内装した請求項１の広告表示モニター付携帯電話機。
【発明の詳細な説明】
【技術分野】
【０００１】  現在使用されている携帯電話機は、電話機能の他に、カメラ機能、テレビ機能、データ記憶機能等を備えた、話すことから見るものに変化している現状であり、その現状に対し、本発明は、新たに広告機能専用表示モニターを併設表示できるようにした。携帯電話モニターと広告表示モニターの２種類の画像表示モニターを、携帯電話機の電源スイッチをオンにすると自動的に同時に稼動させ、携帯電話機を使用しながら自動的に広告が表示される広告表示モニター付携帯電話機に関するものである。
【背景技術】
【０００２】  一般に、現在市販されている携帯電話機の機能には、常識的に内装されている機能としては、メール機能、カメラ機能、テレビ機能及び音楽等を表示するメディア機能等の多種類のデータ記憶機能等が内装され、携帯電話機能表示モニターを単独で使用しているが、携帯電話機能表示モニターと広告機能表示モニターを区分して同時に画像表示現出するものは散見されていない現状である。
更に、現在市販されている携帯電話機は大変に高額であり、携帯電話会社は携帯電話機の販売に関して各種のサービスを設定して販売に苦心している現状であり、個人の誰もが手軽に購入できない不便な問題もある。
【発明の概要】
【発明が解決しようとする課題】
【０００３】  上記従来の技術で述べた如く、携帯電話機はまだまだ高額である。今では国民の生活に浸透したものであるが、今以上に携帯電話機が安価になれば、多くの人々に更に携帯電話機を使用する機会が増えるものであり、携帯電話機を介した情報等が入手しやすくなれば、生活に利便を与えるものである。そこで、該携帯電話機の値段を安くする方法を目的としたものである。
そして、携帯電話機に携帯電話使用時間と同時間に同一携帯電話モニターに広告画像を表示して、その各々の携帯電話機に表示されることによる広告放映収入が得られ、広告収入の一部を携帯電話機所有者に前払い還元をして、携帯電話機価格を安価に販売する。更に、携帯電話機購入後の月々の携帯電話料金を安価に出来る広告表示モニター付携帯電話機を提供することを目的としている。
【課題を解決するための手段】
【０００４】  上記目的を達成するために、本発明の広告表示モニター付携帯電話機においては、携帯電話本体の正面の１枚のモニターには、中央部分に携帯電話機能専用表示モニターを設け、その上下等の外周に広告機能専用広告画像表示モニターを装設する。該１枚のモニターの裏面内部に携帯電話機能の外に、該携帯電話機能専用表示モニターと該広告機能専用広告画像表示モニターの２種類の画像表示とを区別表示するモニター区分ソフト機器、携帯電話機能専用機器及び広告機能専用機器を収納装設してある。
また、携帯電話本体の内部に該広告機能専用広告画像表示モニターが、中断しないように強制的に接続して広告表示ができるようにした強制的広告表示機能装置を装設してある。
更に、広告機能専用広告画像表示モニターには、下部に一般的広告表示の他に、広告表示が専門的になる場合の広告専用表示装置を、同一のモニターに表示ができるようモニターを装設する。
また上部には、広告表示が専門的に変化する分類別一覧表示モニターを装設してある。
更に、携帯電話本体に広告時間及び広告が専門的に表示される記憶した記憶装置機器を設け、専門的広告時間及び専門的分類一覧表のクリック日数等を、携帯電話機能を利用して、無線により広告履歴で広告情報管理機器に送信して広告履歴等を記憶管理する。
【発明の効果】
【０００５】  本発明の広告表示モニター付携帯電話機によれば、携帯電話機のモニターの表面に広告宣伝モニターを同時に映し出されるので、簡単に広告効果が達成できると共に、大変に便利となる効果がある。また、携帯電話本体の１枚のモニターには、中央に携帯電話機能専用表示モニターを上下の外周部分に設けた広告機能専用広告画像表示モニターが電源スイッチにより同時に作用するために広告表示が確実に表示できる効果もある。
そして、携帯電話本体の内部に設けたモニター区分ソフト機器と強制的広告表示機能装置によって広告表示が中断しないように強制的にした効果と、広告機能専用広告画像表示モニターの下部に設けた広告専用表示モニターは、広告表示のみを専用に現出し、上部に設けた分類別一覧表示モニターには、種目によって分離された広告が確実に表示される効果がある。
また、携帯電話本体に内装した広告情報の記憶装置機器は、ネット通信接続機器により広告履歴を確実に広告情報管理機器に伝達するので、携帯電話機購入後に、検索する毎にその分の広告効果を高めると共に、更に増えた広告収入の１部を還元して月々の携帯電話機使用料金を安価にする等の便利な効果がある。
【図面の簡単な説明】
【０００６】
【図１】  本発明の広告表示モニター付携帯電話機の全体正面図である。
【図２】  本発明の全ての機能を内蔵した図１の縦断側面図である。
【図３】  同じく本発明の図２における強制的広告表示機能装置に替わり、選択別広告表示装置及び記憶装置機器を内蔵した縦断側面図である。
【図４】  本発明の携帯電話機能専用表示モニターの上部に広告専用表示モニター及び下部に分類別一覧表示モニターを表示した全体正面図である。
【図５】  同じく本発明の携帯電話本体とネット通信接続機器を使用した広告情報管理機器とを接続した配置図である。
【発明を実施するための最良の形態】
【０００７】  本発明の実施の用法を説明すると、携帯電話機の電源スイッチをオンにすると、同時に１枚のモニター中央部の携帯電話機能専用表示モニターと、その上下部の広告機能専用広告画像表示モニターには、各々、携帯電話機能表示と、広告用モニターが表示されるようにし、広告用モニターに、携帯電話機使用者が希望すれば、モニターへのクリック等で、広告情報通信機器と広告情報が通信できるように接続する。一部の広告用モニターを検索すれば、項目の分類別一覧表がモニターに映し出され、例えば、男女別、年齢別、趣味別の車、化粧品、服飾、食べ物、健康スポーツ用品等の一覧表のうち該当部分を検索することで、更に詳細な専門的広告が広告用モニターに映し出される。
また、専用的広告表示時間や専門別検索回数の履歴等を記憶させて、その記憶情報を携帯電話機能を使用して、外部にある広告情報管理機器を管理している広告専用表示の専門管理センターに伝達して、広告時間や検索回数等に応じて、携帯電話機所有者に強制的広告収入とは別に、携帯電話機購入後に広告収入の一部を還元するものである。
【実施例】
【０００８】  本発明の実施例を図面について説明すると、図１に示すものは、携帯電話本体（１）には、内側に１枚のモニター（２）を有し、該１枚のモニター（２）には、中央部分に携帯電話機能専用表示モニター（３）を設け、該携帯電話機能専用表示モニター（３）には、上下部分に広告機能専用広告画像表示モニター（４）（４）を装設する。また、上記１枚のモニター（２）の外部には、電話機能ボタン（２０）と電源スイッチ（５）を各装設してある。
図２に示すものは、携帯電話本体（１）の内側には、１枚のモニター（２）の内部に携帯電話機能専用表示モニター（３）と広告機能専用広告画像表示モニター（４）を配設してある。
次に、該１枚のモニター（２）の裏面内側には、携帯電話機能と広告用機能とを区分画像表示する機能を持った画像表示を区分するモニター区分ソフト機器（６）と、携帯電話機能専用機器（７）と、広告機能専用機器（８）及び強制的広告表示機能装置（９）を内装している。更に、携帯電話機の１枚のモニター（２）の内部には、広告分離項目別表示装置（１０）と、ポイント履歴装置（１３）と情報圧縮受信機能機器（１８）及び情報再生機能機器（１９）を内装している。
また、図３に示すものは、図２と同様であるが、一部変更している所は、強制的広告表示機能装置（９）を取り除いて、替わりに広告をするかどうかを選択が可能な選択別広告表示装置（１１）及び広告をするように選択した場合の携帯電話広告表示システムを記憶させる記憶装置機器（１５）を収納装設してある。
更に、図４に示すものは、携帯電話本体（１）の１枚のモニター（２）には、中央部分に携帯電話機能専用表示モニター（３）を設け、該携帯電話機能専用表示モニター（３）には、外周部分の下部に広告専用表示モニター（４−１）を位置し、上部には、広告表示が専門的になるように表示する事ができ、種目で分類できる分類別一覧表示モニター（４−２）を装設したものである。また、前記１枚のモニター（２）の下部に電源スイッチ（５）及び電話機能ボタン（２０）を装設している。
また、図５に示すものは、本発明のシステムソフトウェアを該携帯電話本体（１）の記憶装置機器（１５）を以って記憶させ、該携帯電話本体（１）に内蔵され、広告を携帯電話モニターに表示するソフトシステムである。そして、このソフトシステムは、１枚のモニター（２）の上下のみに広告表示し、携帯電話機所有者が希望する場合にのみモニター広告表示できる。また、分類別一覧表示モニター（４−２）を使用して専門的広告がモニターに映し出され、その検索回数に応じて携帯電話機所有者に広告収入の一部を還元するものである。
以上のシステムを稼動させるためには、該携帯電話本体（１）に内蔵されている本発明のシステムソフトウェアを記憶させる記憶装置機器（１５）にソフトシステムを記憶させ、広告情報通信機器（１６）からインターネットで接続してポイント等の履歴を広告情報管理機器（１７）に伝達するものである。
【産業上の利用可能性】
【０００９】  現在使用されている携帯電話機には、カメラ機能、テレビ機能、データ記憶機能を備えているが、広告機能の専用表示モニターは散見されていない。
本発明では、電源スイッチにより、自動的に携帯電話と広告表示が同時に稼動するので大変に便利となり、また広告収入の前払還元により、携帯電話機購入時に低額で購入でき、又、購入後、広告種類別一覧表示をクリックして広告表示をする事により月々の使用料金が安くなるため、利用価値は充分に高揚するものと思われる。
【符号の説明】
【００１０】１          携帯電話本体
２          １枚のモニター
３          携帯電話機能専用表示モニター
４          広告機能専用広告画像表示モニター
４−１      広告専用表示モニター
４−２      分類別一覧表示モニター
５          電源スイッチ
６          モニター区分ソフト機器
７          携帯電話機能専用機器
８          広告機能専用機器
９          強制的広告表示機能装置
１０        広告分離項目別表示装置
１１        選択別広告表示装置
１３        ポイント履歴装置
１５        記憶装置機器
１６        広告情報通信機器
１７        広告情報管理機器
１８        情報圧縮受信機能機器
１９        情報再生機能機器
２０        電話機能ボタン
【図１】
2010183550.tif 000003
【図２】
2010183550.tif 000004
【図３】
2010183550.tif 000005
【図４】
2010183550.tif 000006
【図５】
2010183550.tif 000007